(57)【特許請求の範囲】
【請求項１】
各ヘルドフレームの高さに、ヘルドフレーム（６) に連結されかつ前記ドビーの主軸（１）に緩く装着された作用要素（２）に連結された揺動要素（４）と、前記作用要素と側面で一体の板（３）に載っている可動連結要素（８）とを備え、この可動連結要素は、前記主軸にしっかりと取り付けられたディスク（７）と前記板（３）の角度をなした連結を果たすために弾性手段（１０）の力を受けており、また二つの回動腕（１１）が一方では読み取り装置（１６）の作用を受けかつ他方では前記板（３）の二つの結合面（１８、１９）のうちの一方と前記回動腕の捕捉部（１７）を係合させるように導く弾性手段（１３）の作用を受けるようになっている織機のためのロータリードビーにおいて、
各回動腕（１１）の前記捕捉部（１７）は外側支承面（２０）と内側支承面（２１）を有し、前記外側支承面と内側支承面は互いに異なる値の頂角( α, β；α′，β′) を有することを特徴とするロータリードビー。
【請求項２】
前記内側支承面（２１）は外側支承面（２０）の幅の内側に含まれることを特徴とする請求項１に記載のロータリードビー。
【請求項３】
前記内側支承面（２１）の頂角( β) は前記外側支承面（２０）の頂角( α) より大きいことを特徴とする請求項１に記載のロータリードビー。
【請求項４】
前記内側支承面(21)の頂角( β′) の値は前記外側支承面(20)の頂角( α′) の値より小さいことを特徴とする請求項１に記載ののロータリードビー。
【請求項５】
前記板（３）の二つの結合面（１８、１９）は、前記回動腕（１１）のうちの一方の回動腕の捕捉部（１７）に係合するのに適する切欠き（１９）と他方の回動腕（１１）の捕捉部（１７）に侵入するのに適する歯（１８ａ）とからなることを特徴とする請求項１に記載ののロータリードビー。
【請求項６】
前記切欠き（１９）と歯（１８ａ）は前記板（３）の外周に点対称に対向していることを特徴とする請求項５に記載ののロータリードビー。
【請求項７】
請求項１によるロータリードビーを備えた織機。
【発明の詳細な説明】
【０００１】
【発明の属する技術分野】
本発明は、織機に取り付けられたヘルドフレームを作動させるためのロータリードビーおよびそのようなドビーを備えた織機に関する。
【０００２】
【従来の技術】
ロータリードビーにおいて、場合によっては、揺動要素−腕組立体またはローラ軸受腕により構成することができる揺動する構成要素によりヘルドフレームの垂直運動が与えられる。これらの揺動腕は、第一の場合には偏心輪の形態の作用要素によりまたは第二の場合にはカムの形態の作用要素により駆動される。これらの作用要素は、間欠的な回転運動により作用される機構の主軸に取り付けられており、そして停止ごとに、実際のところ、上記主軸の半回転で、読み取り装置は作用要素を主軸と結合して揺動部品を駆動しなければならないか、または作用要素を固定点と結合して揺動部品の揺動角度の固定を行なわなければならない。この結合はドビーのヘルドフレームの各々の高さで、すなわち各ヘルドフレームと関連した作用ユニットの高さでかつ製織過程中織機に得られるべきデザインまたは織布に依って行なわなければならない。
【０００３】
この選択的な結合は、一般に、可動要素をその二つの停止位置へ作用させるために主軸の一方および他方の側に配置された二つの回動腕の作用を受けるコッターまたは捕捉形状の可動連結要素により得られ、各対の回動腕はドビーの読み取り装置により制御される。  仏国特許出願公開第2 540 524 号明細書に、各ヘルドフレームに接合された板が、読み取り装置により制御される二つの回動腕の捕捉部と相互作用するのに適する二つの点対称に対向した切欠きで構成されている織機用ロータリードビーが開示されている。これらの二つの切欠きは異なる形状をしている。なぜなら、切欠きの一方は相対的に深くして、板に完全に正確な角度位置を与え、そしてそのとき必要なだけ長い間適当な保持を確保しなければならないからである。他方では、他方の切欠きが減少した深さを有しかつ各回動腕の捕捉部の側面の末端の面取りに平行に延びるまさしく鐘状の口を開けた側壁が設けられているので、読み取り装置が回動腕に作用することもなく、回動腕の捕捉部を板の回転とともに自動的に押し出すことができる。この第二の場合には、捕捉部が切欠きに係合する「消極的」な係合を問題にする。なぜなら、弾性的な係合が両方の切欠きで同じように行なわれるとしても、第二の回動腕の捕捉部が消極的に押し戻され得るからである。
【０００４】
試験の示すところによると、そのような配置は満足のゆくように機能するが、各回動腕の捕捉部は比較的細長くしなければならない。なぜなら、板の第一の切欠きと第二の切欠きの間の最も高い外周支承面は、これらの切欠きの高さが捕捉部の抜け出し方向に寄せ算された高さ、すなわち累積する高さを有するからである。すなわち、各回動腕の角運動を比較的大きな振幅をもつようにして、これらの回動腕の各切欠きに設けられた二つの支承面から抜け出すことができるようにしなければならない。そのような角運動に必要な力は大きく、したがって問題にしているドビーのエネルギー消費は比較的高い。
【０００５】
さらに、大きな振幅の角運動は回動腕に加わる強い衝撃により実施され、そのためこれらの構成要素が特に強い構造でなければ、周知の設計の構成要素の早期の磨耗ときずが生ずる。さらに、これらの衝撃は、周知の形式のドビーが設けられた織機の非常に近くにある作業場で働く作業者を刺激する騒音発生源となる。
最後に、回動腕の回動は瞬間的ではなく、その振幅が大きければ大きいほど、それだけ時間が長くかかる。このことは、回動腕の大きい振幅での回動が、周知のドビーの速度を制限するような性質を有することによる。
【０００６】
【発明が解決しようとする課題】
本発明は、比較的小さい振幅で回動する回動腕で作動するロータリードビーの構造を簡易化する狙いをもってこれらの欠点を補修する目的を有する。
【０００７】
【課題を解決するための手段】
各ヘルドフレームの高さに、ヘルドフレームに連結されかつ前記ドビーの主軸に緩く装着された作用要素に連結された揺動要素と、前記作用要素と側面で一体の板に載っている可動連結要素とを備え、この可動連結要素は、前記主軸にしっかりと取り付けられたディスクと前記板の角度をなした連結を果たすために弾性手段の力を受けており、また二つの回動腕が一方では読み取り装置の作用を受けかつ他方では前記板の二つの結合面のうちの一方と前記回動腕の捕捉部を係合させるように導く弾性手段の作用を受けるようになっている織機のためのロータリードビーにおいて、本発明により、各回動腕の前記捕捉部は外側支承面と内側支承面を有し、前記外側支承面と内側支承面は互いに異なる値の頂角を有することを特徴とする。
【０００８】
本発明のおかげで、内側支承面と外側支承面は板の二つの結合面の各々と相互作用することができ、そしてこの配置により、結合面の高さが寄せ算されないので、各回動腕に必要な回動量は従来のように外周支承面の最高の高さに一致しない。
本発明の第一の有利な面により、内側支承面は外側支承面の幅の内側に含まれる。
本発明の第一の有利な実施の形態により、内側支承面の頂角は外側支承面の頂角より大きい。本発明の変形例により、内側支承面の頂角は外側支承面の頂角より小さい。本発明の全ての場合におよび本発明の他の有利な面により、板の二つの結合面には、一方の回動腕の捕捉部を収容するのに適する切欠きと、他方の回動腕の捕捉部に入るのに適する歯が設けてある。結合面のこの配置は、回動腕の捕捉部の支承面の形状と相互作用するのに適する。
【０００９】
最後に、本発明は前述したドビーを備えた織機に関する。
【００１０】
【発明の実施の形態】
以下、本発明をその原理によるドビーの二つの実施の形態について図面により詳細に説明する。
図１に示したドビーは、半回転ごとに停止する間欠的な回転運動により駆動される主軸１を有する。この主軸１には、織機のヘルドフレームの数に等しい数の多数の軸受が設けられている。各軸受には、板３と側面で一体である偏心輪の形態の作用要素２がゆるく取り付けられている。各偏心輪２には揺動要素４の開口部がゆるく装着されており、その揺動要素４の自由端は回動腕５に取り付けられ、この回動腕により、ワイヤ６ａのおかげて、非常に概略的に示した当該ヘルド軸のヘルドフレーム６の垂直運動が引き起こされる。二つの隣接する偏心輪２の間に、溝付き軸１はこれにしっかりと取り付けられた駆動デスク７を支持しており、この駆動ディスク７はその外周に、点対称に互いに対向した二つの半径方向切欠き７ａを有する。これらの切欠き７ａは、スピンドル９に連結された可動連結要素８の末端爪８ａに選択的に係合するようになっており、スピンドル９は対応する偏心輪２の側板３に取り付けられている。ばね１０は、可動連結要素８の末端爪８ａを主軸１に向かって連続的に付勢する。
【００１１】
両腕レバーの形状の板３の制御は、主軸１に平行に延びる固定スピンドル１２に組み合わせて連結された二つの回動腕１１により実施される。各回動腕１１は、全体として見て、四角な輪郭を有しかつばね１３により作用されて対応する固定ストッパー１４に当接するようになる。各回動腕１１には駆動ロッド１５が設けられており、この駆動ロッド１５は、ドビーの読み取り装置に属していて矢印１６により表されるタペットにより選択的に制御することができる。
【００１２】
そのロッド１５と反対に、各回動腕１１には、板３の外周に配置された二つの結合面１８および１９と相互作用することができる捕捉部１７が設けられている。これらの捕捉部１７および結合面１８および１９のおかげで、図１の左側に示した捕捉部１７が結合面１８と相互作用すると共に右側に示した捕捉部１７が結合面１９と相互作用するかどうかに依って、または左側に示した捕捉部１７が結合面１９と相互作用するとともに、右側に示した捕捉部１７が結合面１８と相互作用するかどうかに依っては、板３を板３の180 °の回転により分離された二つの位置に固定することができる。
【００１３】
読み取り装置のタペットの作用がない場合に、板３の各停止部、すなわち切欠き形の結合面１９または歯の形状の結合面１８が捕捉部１７に面している現時点では、ばね１３がこれらの捕捉部を切欠き形の結合面１９と相互作用させ、それには板３を角度をなして固定し、それと共に偏心輪２および揺動要素４を角度をなして固定する付随的な効果があり、またそれと共に末端爪８ａが係合していた切欠き７ａからその末端爪８ａを引っ込めることにより可動連結要素８をその非結合状態に制御する付随的な効果がある。これにより、回動腕１１に関して板３の「積極的」結合が構成される。
【００１４】
その作用は、仏国特許出願公開第2 540 524 号明細書に記載された作用と同様である。結合面１９に関して可動連結要素８の近くに位置する捕捉部１７の位置決めと抜け出しは、読み取り装置の制御の下に正確な仕方で実施しなければならない。可動連結要素８の前に位置する捕捉部１７の結合面１８に関しての位置決めは一時的なものである。その位置決めは、読み取り装置と相互作用なしで自動的な捕捉部１７の抜け出しができるようにわずかな力で実施される。
【００１５】
上に挙げた機能を実施するためにおよび図３と４からいっそう明らかになるように、捕捉部１７が結合面１８および１９の各々と選択的に相互作用することができるので、同一である捕捉部１７の寸法は、結合面の各々が、それぞれ結合面１９および１８と相互作用するのに適する外側支承面２０および内側支承面２１を有するように設計されている。
【００１６】
図３に積極的に表された外側支承面２０は、切欠き形の結合面１９の範囲を定める面に接して嵌合するようになっている寸法を有する。この外側支承面２０の頂角はαで表されている。内側支承面２１は捕捉部１７の中に沈んだ状態で区画されかつその頂角はβで表される。内側支承面２１の寸法は、図４に示したように、結合面１８に属する歯１８ａの外側面に接して嵌まるのに適しているように設計されている。
【００１７】
頂角βは頂角αより大きいので、本発明によるドビーの作用方法に関連しなければならない結合面１９と相互作用するときよりも、結合面１８と相互作用するときに捕捉部１７から離脱するのがいっそう容易であり、結合面１８で得られた結合が「消極」であるのに対し、切欠き形結合面１９で得られた結合は「積極」である。
内側支承面２１は、外側支承面２０の高さＨ1 と異なることができる高さＨ2 を有する。内側支承面２１が外側支承面２０の幅の内側に含まれ、すなわち高さＨ2 が高さＨ1 より低いことが特に注目できる。
【００１８】
図５に示した第二の実施の形態では、内側支承面２１の頂角β′の値が外側支承面２０の頂角α′の値より小さい。この形状は、図４の結合面１８の歯１８ａに一致する歯のために有効な、すなわち「積極的な」結合を得なければならないときに用いることができ、そしてそのとき外側支承面２０の抜け出しが容易でなければならない。この形状は、歯を備えた板３の外周支承面が可動連結要素８の近くにあるときに用いることができる。
【００１９】
上記の形式のドビーを備えた織機は、以前に知られた形式のドビーを備えた織機より少ない磨耗ときずでいっそう速く作動することができかつ以前の形式のドビーを備えた織機より騒音がいっそう小さい。
さらに、上記の記載は例のつもりで記載されかつ上記の設計細部を均等物で置き換えることにより逸脱しないような本発明の範囲を少しも制限するものではないことを理解しなければならない。特に、作用要素が、揺動要素に連結された偏心輪により構成されないで、ヘルドフレーム６に連結された制御ローラ支承腕を制御するように付形されたカムにより構成されたドビーに本発明を用いることができることが考えられる。同様に、かつ傾斜している捕捉部が可動連結要素のために最も有利な設計であると思われるけれども、半径方向変位を有するコッタの機構にたよることができる。また、可動連結要素は、例えば二つのフック、二つの締め金または二つのコッタのようないくつかの構成要素により構成することができる。
【図面の簡単な説明】
【図１】本発明によるドビーの概略横断面図である。
【図２】図１によるドビーのヘルドフレームのうちの一つのヘルドフレームの必須の構成要素を分解状態で示す斜視図である。
【図３】第一の結合位置にある一つのヘルドフレームと関連した板の切欠きおよび回動腕の捕捉部を拡大図で示す。
【図４】腕が図３に示した板と点対称に対向する板の部分と相互作用する状態の、図３と同様な図である。
【図５】本発明の第二実施の形態によるロータリードビーの回動腕の端部の図である。
【符号の説明】
１                            ドビーの主軸
２                            作用要素
３                            板
４                            揺動要素
６                            ヘルドフレーム
７                            ディスク
８                            可動連結要素
１０                            弾性手段
１１                            回動腕
１３                            弾性手段
１６                            読み取り装置
１７                            回動腕の捕捉部
１８，１９                      結合面
１８ａ                          歯
１９                            切欠き
２０                            外側支承面
２１                            内側支承面
【図１】
0003545187.tif 000002
【図２】
0003545187.tif 000003
【図３】
0003545187.tif 000004
【図４】
0003545187.tif 000005
【図５】
0003545187.tif 000006